(57)【要約】 【課題】  コネクタの配設スペース縮小する。【解決手段】  ターミナル２を収容したハウジング１には、操作レバー３が揺動可能に支持され、揺動軸３９に保持部４５が設けられる。（Ａ）の状態から第１押圧部３１を押圧すると、操作レバー３が（Ｂ）の解放位置に揺動されて、保持部４５とターミナル２の接触片１５の間が開かれる。リボンケーブル４を挿入したのち、第２押圧部３４を押圧して操作レバー３を（Ｃ）の保持位置に揺動すると、リボンケーブル４が保持部４５と接触片１５との間で弾性的に挟持されて、接触状態に保持される。ここで、プリント配線基板に接続されるターミナル２のリード部１６の突出方向が、リボンケーブル４の引き出し方向と同じ方向に設定されている。【選択図】  図４
2004288648.tif 000002
【特許請求の範囲】
【請求項１】
コネクタハウジングに設けられた挿入口には、シート状導電路と接続されるターミナルが収容されるとともに、保持部材が解放位置と保持位置との間で回動可能に軸支され、この保持部材が前記解放位置にあるときには前記保持部材と前記ターミナルとの間に前記シート状導電路を抜き差しすることが許容され、前記保持部材が前記保持位置にあるときにはこの保持部材と前記ターミナルとの間で前記シート状導電路を挟持してこのシート状導電路が前記ターミナルと接触状態に保持されるようになっており、
かつ前記ターミナルは、前記コネクタハウジングに収容された場合にこのコネクタハウジングから突出したリード部によりプリント配線基板等の別部材に接続可能とされたシート状導電路用コネクタにおいて、
前記ターミナルの前記リード部の突出方向が、前記挿入口から引き出された前記シート状導電路の引き出し方向とほぼ同じ方向に設定されていることを特徴とするシート状導電路用コネクタ。
【請求項２】
前記保持部材には、この保持部材を回動するための操作レバーが延出しかつ延出端側が前記コネクタハウジングから突出して設けられており、前記保持部材が前記保持位置にあるときには、前記操作レバーの延出端が前記ターミナルの前記リード部とほぼ同じ方向に突出していることを特徴とする請求項１記載のシート状導電路用コネクタ。
【発明の詳細な説明】
【技術分野】
【０００１】
本発明は、シート状導電路が取り付けられるシート状導電路用コネクタに関する。
【背景技術】
【０００２】
従来、シート状導電路の一例であるＦＰＣ製リボンケーブル用のコネクタとして、特許文献１あるいは特許文献２に記載されたものが公知である。例えば、特許文献１に記載されたものは、図８に示すように、コネクタハウジングａの一面に開口された挿入口ｂの下面側に複数のターミナルｃが並んで収容されるとともに、挿入口ｂの上面側に、保持部材となるカバーｄが回動可能に設けられている。そしてリボンケーブルｅを取り付ける際には、図１０（Ａ）に示すようにカバーｄを上方に開けておいて、カバーｄとターミナルｃの間にリボンケーブルｅを挿入し、その後に同図（Ｂ）に示すようにカバーｄを閉じることで、カバーｄとターミナルｃとの間でリボンケーブルｅを挟み付け、これによりリボンケーブルｅをターミナルｃと接触した状態に保持するようになっている。  
なお、特許文献２に記載されたものも同様の構造である。
【特許文献１】実公平４−３３６７１号公報
【特許文献２】実開平６−７７１８６号公報
【発明の開示】
【発明が解決しようとする課題】
【０００３】
すなわち従来のものでは、リボンケーブルｅを挿入する前に、カバーｄを指で引っ掛けて上方に開けるという作業が必要である。しかるに近年では、コネクタハウジングａの低背化が進んでおり、それに伴い指を掛けるスペースが十分に取れず、加えて作業者は手袋をはめて作業する場合が多いために、カバーｄを開ける操作が難しく、作業に手間取るという問題があった。  
また図１０（Ｂ）に示す保持状態から、例えば挿入口ｂの手前で、リボンケーブルｅに対して矢線のようにカバーｄを巻き込むような側に向かう引っ張り力が作用すると、リボンケーブルｅがカバーｄの操作端側を押し上げつつカバーｄが開きやすく、接続の信頼性に欠ける嫌いがあった。  
本発明は上記のような事情を背景として完成されたものである。
【課題を解決するための手段】
【０００４】
請求項１の発明は、コネクタハウジングに設けられた挿入口には、シート状導電路と接続されるターミナルが収容されるとともに、保持部材が解放位置と保持位置との間で回動可能に軸支され、この保持部材が前記解放位置にあるときには前記保持部材と前記ターミナルとの間に前記シート状導電路を抜き差しすることが許容され、前記保持部材が前記保持位置にあるときにはこの保持部材と前記ターミナルとの間で前記シート状導電路を挟持してこのシート状導電路が前記ターミナルと接触状態に保持されるようになっており、かつ前記ターミナルは、前記コネクタハウジングに収容された場合にこのコネクタハウジングから突出したリード部によりプリント配線基板等の別部材に接続可能とされたシート状導電路用コネクタにおいて、前記ターミナルの前記リード部の突出方向が、前記挿入口から引き出された前記シート状導電路の引き出し方向とほぼ同じ方向に設定されている構成としたところに特徴を有する。
【０００５】
請求項２の発明は、請求項１に記載のものにおいて、前記保持部材には、この保持部材を回動するための操作レバーが延出しかつ延出端側が前記コネクタハウジングから突出して設けられており、前記保持部材が前記保持位置にあるときには、前記操作レバーの延出端が前記ターミナルの前記リード部とほぼ同じ方向に突出しているところに特徴を有する。
【発明の効果】
【０００６】
＜請求項１の発明＞
ターミナルのリード部の突出方向と、シート状導電路の引き出し方向がほぼ同じ方向であるということは、リード部が接続されるプリント配線基板等の別部材と、シート状導電路とが、コネクタハウジングの一側にまとまって配されることを意味し、例えばプリント配線基板とシート状導電路とがコネクタハウジングの両側に分散して配される場合と比べると、配設スペースが縮小される。  
＜請求項２の発明＞
コネクタハウジングから突出して設けられるターミナルのリード部と、操作レバーの延出端とをほぼ同じ方向に突出して配したから、コネクタハウジング全体のコンパクト化を図ることができる。コネクタハウジングの保管や運搬の際に便利となる。
【発明を実施するための最良の形態】
【０００７】
＜実施形態＞
以下、本発明の一実施形態を図１ないし図９によって説明する。  
本実施形態のコネクタは大まかには、図１に示すように、コネクタハウジング１と、このコネクタハウジング１内に収容される複数のターミナル２と、コネクタハウジング１に揺動可能に取り付けられる操作レバー３とから構成されている。また、本実施形態に適用されるシート状導電路は、ＦＰＣ製のリボンケーブル４（図４に図示）であって、可撓性を有する帯状のベースフィルム上に複数の導電路を間隔を開けてプリント配線手段により形成した構造となっている。
【０００８】
コネクタハウジング１は合成樹脂材により成形され、平面長方形をなす厚肉の板状をなす本体部６を有している。本体部６の上面は後端側が一段高くなった段付き状に形成されており、この本体部６の前面下部における幅方向の中央部からは、板状の延出部７が突設されている。この延出部７の付け根部分の上面には、溝状をなす下部軸受部８が全幅にわたって形成されている。また、本体部６の上面における上記の延出部７のすぐ外側に対応する位置には、左右一対の側板部９が、本体部６の前縁から後縁よりも所定寸法手前の位置にわたって立てられており、両側板部９の上端の間にわたされるようにして天井部１０が形成されている。天井部１０の前端側は本体部６の前面よりも前方に突出している。  
上記の延出部７、本体部６並びに天井部１０の一部にわたっては、図４に示すように、ターミナル２の収容室となる前後方向を向いた図示５個のスリット１２が、幅方向に間隔を開けて形成されている。
【０００９】
ターミナル２は導電性の金属板を打ち抜いて形成されている。このターミナル２の形状は大まかには、図４に示すように、スリット１２における延出部７から本体部６にわたる部分に挿入される前後方向に細長い基部１４と、その基部１４の後端側から立ち上がって前方に延出された接触片１５とを有している。基部１４の先端側は、図示しないプリント配線基板上の導電路とハンダ付けによって固着接続されるリード部１６となっており、また接触片１５の先端には下向きの突部１７が形成されている。
【００１０】
このターミナル２が対応するスリット１２内に前方（図４の左側）から挿入され、基部１４の下縁の段付部分と、接触片１５の立上り部分とがスリット１２内の突当部１２Ａ，１２Ｂにそれぞれ突き当てられることで押し込みが停止され、このとき基部１４の後端側に設けられた係止突部１８がスリット１２の壁面に食い込むことで抜け止め状態とされる。また、接触片１５の付け根部分と基部１４とが、天井部１０と本体部６におけるスリット１２の上下の面の間に挟まれることで上下方向の移動が規制される。ここで、接触片１５の先端側が、天井部１０のスリット１２の下端側に臨んでおり、接触片１５の上方への撓み変形を可能としている。また、リード部１６の先端が延出部７の先端よりも所定寸法突出するようになっている（図１参照）。
【００１１】
上記によって、コネクタハウジング１に収容された各ターミナル２の基部１４と接触片１５との間にわたり、リボンケーブル４が挿入可能な挿入口１Ａが構成されている。なお、各スリット１２の間の位置における奥方には、図４（Ｂ）に示すようにリボンケーブル４の先端を突き当ててその押し込みを規制する規制部１９が形成されている。
【００１２】
コネクタハウジング１には、このコネクタハウジング１をプリント配線基板に固定するために用いるホルダ２１が取り付けられるようになっている。このため、コネクタハウジング１の本体部６における両側板部９の外側の位置には、前後方向を向いた左右一対の取付溝２２が形成されている。一方ホルダ２１は、金属板を打ち抜いて形成されている。このホルダ２１は、図７に示すように、取付溝２２に挿入される前後方向に細長い基部２３と、その基部２３の後端側から少し立ち上がって前方に延出されたアーム２４と、基部２３の先端側の下縁から外方に直角曲げされた取付部２５とを有している。アーム２４の先端は、基部２３の先端よりも所定寸法前方に突出しており、下向きのフック部２６が形成されている。また、フック部２６の屈曲された角部には、斜めに切除されることで導入部２７が形成されている。
【００１３】
上記のような構造のホルダ２１がそれぞれ対応する取付溝２２内に前方から挿入され、図６に示すように、取付部２５の付け根部分とアーム２４の立上り部分とが、取付溝２２の突当部２２Ａ，２２Ｂにそれぞれ突き当てられることで押し込みが停止され、このとき基部２３の後端側に設けられた係止突部２８が取付溝２２の壁面に食い込むことで抜け止め状態に取り付けられる。ここで、同図に示すように、アーム２４の先端のフック部２６が本体部６の前面に突出して、その間に上部軸受部２９が構成され、上記した下部軸受部８と対をなして、後記する操作レバー３の揺動軸３９の軸受部３０が構成されている。
【００１４】
次に操作レバー３について説明する。この操作レバー３は合成樹脂材により成形されており、コネクタハウジング１の上面の天井部１０における後縁から左右の側縁を取り囲むような、前縁を開口した枠状に形成されている。この操作レバー３の左右の側辺の先端側は、図２に示すように、内側の幅が広げられつつ天井部１０の前面よりも前方に突出可能とされており、さらに天井部１０の前面よりも突出した部分では、外側縁が外方に出っ張って形成されており、これにより一対の第１押圧部３１が形成されている。各第１押圧部３１の上面には、前後方向に凹凸の繰り返された滑り止め３２が形成されている。一方、操作レバー３の後辺は、全長にわたって厚肉に形成され、この後辺が第２押圧部３４となっている。この第２押圧部３４の上面にも、前後方向に凹凸の繰り返された滑り止め３５が形成されている。
【００１５】
操作レバー３の左右の側辺の先端部では、内側に幅の広げられた部分の下面に支持板３７が垂下して形成されている。この支持板３７は、図４（Ａ）にも示すように、後縁側が垂直で、かつ前縁側が下端に向かって次第に後方に傾斜した逆台形をなしており、コネクタハウジング１の延出部７を左右両側から挟むように対応して形成されている。この両支持板３７の間には、揺動軸３９が両支持板３７を貫通するようにして形成されている。したがって、上記した第１押圧部３１と第２押圧部３４とは、揺動軸３９を挟んだ前後両側に配されていることになる。この揺動軸３９の支持板３７の外側に突出した端面には、図８にも示すように、後方かつ下側の半円形の部分においてテーパ状のガイド面４０が形成されている。
【００１６】
上記の操作レバー３は、図１に示す状態から、揺動軸３９の突出端のガイド面４０を、コネクタハウジング１に取着されたホルダ２１におけるアーム２４の先端の導入部２７に当てて、斜め前方から押し込まれる。揺動軸３９はガイド面４０によりホルダ２１のアーム２４を広げつつ押し込まれ、揺動軸３９の突出端がホルダ２１のフック部２６の後側に抜けたところで、アーム２４が元形に戻りつつ揺動軸３９が軸受部３０に嵌められる。詳細には、揺動軸３９における両支持板３７の間の領域の下面側が、コネクタハウジング１の下部軸受部８で受けられ、また、揺動軸３９における両支持板３７からの突出端の上面側が上部軸受部２９に嵌まり、これにより操作レバー３は、コネクタハウジング１に対して揺動軸３９を中心として揺動自由に支持される。
【００１７】
操作レバー３の図４における時計回り方向の揺動は、第２押圧部３４の下面がコネクタハウジング１の本体部６の後端側の上面に当たることで規制され、このとき操作レバー３は、図４（Ａ）に示すように水平姿勢を取り、この位置が保持位置となる。また操作レバー３は、同図（Ｂ）に示すように、上記の保持位置から反時計回り方向に４５度揺動可能であり、この位置が解放位置となる。また操作レバー３は、上記の解放位置から自重により保持位置側へ揺動しないように仮保持可能となっている。そのため、図１並びに図８，９に示すように、コネクタハウジング１の延出部７の先端側の左右の側面には仮保持用凹部４２が形成されているとともに、操作レバー３の両支持板３７の内側の面には、操作レバー３が解放位置に揺動した場合に仮保持用凹部４２に嵌合可能な突部４３が形成されている。
【００１８】
揺動軸３９における両支持板３７の間の領域には、リボンケーブル４をターミナル２との間で挟持するように機能する保持部４５が一体的に形成されている。この保持部４５は、操作レバー３すなわち揺動軸３９が図４（Ａ）の保持位置にある場合に、揺動軸３９の上面側から斜め前方に向けて突出し、挟持面４６となる先端面が水平姿勢を取るようになっており、挟持面４６がターミナル２の接触片１５の突部１７に接近する設定となっている。一方、操作レバー３が解放位置に揺動された場合には、同図（Ｂ）に示すように、保持部４５の後縁側の縁辺４７が水平となった姿勢を取り、ターミナル２の接触片１５の突部１７との間に、リボンケーブル４の厚さ以上の間隔が開く設定となっている。
【００１９】
本実施形態は上記のような構造であって、続いてその作用を説明する。  
コネクタハウジング１には、既述した要領によってターミナル２とホルダ２１が組み付けられるとともに、操作レバー３が揺動軸３９を軸受部３０に嵌めつつ組み付けられる。操作レバー３は通常、図４（Ａ）に示す保持位置に揺動された状態で保管、運搬等がなされる。コネクタハウジング１は、プリント配線基板上の所定位置においてホルダ２１の取付部２５をハンダ付けすることによって固定され、また各ターミナル２のリード部１６がプリント配線基板の対応する導電路に同じくハンダ付けにより接続される。
【００２０】
このようにプリント配線基板に固定されたコネクタハウジング１に対してリボンケーブル４を取り付ける手順は、以下のようである。まず図４（Ａ）の状態から操作レバー３の第１押圧部３１を押して、操作レバー３を揺動軸３９を中心に同図の反時計回り方向に４５度揺動させ、同図（Ｂ）に示すように操作レバー３を解放位置に持ち来す。操作レバー３が解放位置まで揺動されると、図９に示すように、コネクタハウジング１の延出部７の仮保持用凹部４２内に、操作レバー３の突部４３が嵌まり込むことによって、操作レバー３が解放位置で仮保持される。ここでは、揺動軸３９に突設された保持部４５と、ターミナル２の接触片１５の突部１７との間隔が広がった状態にある。
【００２１】
この状態から、リボンケーブル４を導電路が上面に来た姿勢で、ターミナル２の接触片１５と保持部４５の間に前方から挿入する。図４（Ｂ）の鎖線に示すように、リボンケーブル４の先端が規制部１９に突き当たったところで挿入が規制される。そうしたら、第２押圧部３４を押圧して、突部４３を仮保持用凹部４２から外しつつ操作レバー３を時計回り方向に揺動させ、同図（Ｃ）に示す保持位置に持ち来す。これに伴い保持部４５も同方向に回動するため、ターミナル２の接触片１５を上方に撓み変形させつつ、保持部４５の挟持面４６と接触片１５の突部１７との間でリボンケーブル４が弾性的に挟持される。これにより、リボンケーブル４の各導電路が対応するターミナル２の接触片１５と接触した状態に保持される。
【００２２】
一方、リボンケーブル４を取り外す場合には、図４（Ｃ）の状態から第１押圧部３１を押圧して、操作レバー３を同図（Ｂ）に示す解放位置に揺動すると、保持部４５と接触片１５との間隔が開いて挟持力が除去されるので、そのままリボンケーブル４を引き抜くことでコネクタハウジング１から外すことができる。
【００２３】
以上説明したように本実施形態によれば、操作レバー３の第１押圧部３１と第２押圧部３４を交互に押圧して揺動させることによって、保持部４５をリボンケーブル４の抜き差しを許容する解放位置と、ターミナル２との間で挟持する保持位置との間で回動操作することができるから、リボンケーブル４の接続作業を簡単にかつ能率良く行うことができる。しかも、各押圧部３１，３４には滑り止め３２，３５が形成されているので、操作レバー３の押圧操作自体もきわめてやり易い。
【００２４】
また、保持部４５すなわち操作レバー３が解放位置に揺動されると、その解放位置に仮保持されるようになっているから、引き続いてリボンケーブル４を挿入する場合に操作レバー３をわざわざ持っている必要がなく、リボンケーブル４の挿入作業もスムーズに行うことができる。  
さらに、ターミナル２のリード部１６を、操作レバー３の第１押圧部３１側が突出しているスペースであるところの、コネクタハウジング１の本体部６の前面側に突出するように配したから、例えば、リード部１６をコネクタハウジング１の後面側から突出させて収容した場合と比べると、コネクタハウジング１全体の奥行き寸法を小さく抑えることができ、コネクタハウジング１の保管や運搬の際に便利となる。
【００２５】
また、図４（Ｃ）に示すように、プリント配線基板に取り付けられたコネクタハウジング１に対してリボンケーブル４が接続された状態において、プリント配線基板と反対側の上方にはスペースがある場合が多いから、コネクタハウジング１のいわゆる挿入口１Ａの手前において、同図の矢線に示すように、リボンケーブル４が上方に曲げられつつ引っ張られることがあり得る。この場合、操作レバー３の第１押圧部３１はリボンケーブル４を間に挟んだ両側にあるし、もう一方の第２押圧部３４は、挿入口１Ａの開口方向とは反対側を向いた位置にあるため、いずれにしてもリボンケーブル４が操作レバー３を引っ掛けて解放方向に回動させてしまうおそれはない。すなわち、リボンケーブル４に上記の引張力が作用したとしても接続状態に維持され、高い接続信頼性が得られる。
【００２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、操作レバーの揺動軸上に保持部を一体的に設けたが、操作レバーとは別体に保持部材を設けて回動可能に軸支し、操作レバーの揺動操作に伴って保持部材が解放位置と保持位置との間で一体的に回動する構造としてもよい。  
（２）操作レバーとしては片側のみに延出した構造で、延出端を操作部として揺動操作する形式であってもよく、そのようなものも本発明の技術的範囲に含まれる。  
（３）本発明は、丸形の導電線を複数本並設して表裏両面に樹脂フィルムを積層して帯状に形成したフラットケーブル用のコネクタにも同様に適用することが可能である。
【図面の簡単な説明】
【００２７】
【図１】本発明の一実施形態に係るコネクタの一部切欠分解斜視図
【図２】操作レバーが保持位置にある状態の斜視図
【図３】操作レバーが解放位置にある状態の斜視図
【図４】リボンケーブルの接続工程を説明する断面図
【図５】コネクタハウジングの平面図
【図６】図５のVI−VI線断面図
【図７】ホルダの斜視図
【図８】操作レバーが保持位置にある状態のコネクタの側面図
【図９】操作レバーが解放位置にある状態のコネクタの側面図
【図１０】従来例の断面図
【符号の説明】
【００２８】
１…コネクタハウジング
１Ａ…挿入口
２…ターミナル
３…操作レバー
４…リボンケーブル（シート状導電路）
１５…接触片
１６…リード部
３１…第１押圧部（延出端）
３４…第２押圧部
３９…揺動軸
４５…保持部（保持部材）
４６…挟持面
【図１】
2004288648.tif 000003
【図２】
2004288648.tif 000004
【図３】
2004288648.tif 000005
【図４】
2004288648.tif 000006
【図５】
2004288648.tif 000007
【図６】
2004288648.tif 000008
【図７】
2004288648.tif 000009
【図８】
2004288648.tif 000010
【図９】
2004288648.tif 000011
【図１０】
2004288648.tif 000012